(57)【要約】【課題】変形幅を拡大することができる指挟み防止機能を備えた建具を提供すること。【解決手段】緩衝部２６および緩衝部２６に連続する屋内側面部２４や屋外側面部２５が、連結面部２２などよりも軟質な樹脂で形成されているとともに、屋内側面部２４の屋内側への変形が連結面部２２で拘束されていないことから、これらが屋内側に変形し易くできる。これにより、大きなサイズの対象物が挟まれた際に、中空部２７が潰れた変形状態からさらに屋内側面部２４が屋内側に撓んで変形することができるため、変形幅を拡大することができる。従って、指等への衝撃を確実に緩和して指挟み防止機能の性能向上を図ることができる。【選択図】図３
2011144546.tif 000002
【特許請求の範囲】
【請求項１】
枠体と、この枠体に開閉自在に支持される面材とを備えた建具であって、
前記枠体を構成する少なくとも１つの枠材は、閉鎖した前記面材の見込み方向一方側に位置して当該面材に気密材を介して当接可能な気密片部と、当該枠材の長手方向の所定長さに沿うとともに前記気密片部に設けられる保護部とを備えて構成され、
前記保護部の断面形状は、前記枠材の見付け方向に延びて前記気密片部に連結される連結面部と、この連結面部の見付け方向内側に連続して見込み方向に延びる見込み面部と、この見込み面部の一方側に連続して見付け方向内方に延びる第１側面部と、前記見込み面部の他方側に連続して見付け方向内方に延びる第２側面部と、前記第１側面部と前記第２側面部とを連結する緩衝部と、前記見込み面部、第１側面部、第２側面部および緩衝部で囲まれた中空部とを有して構成され、
前記連結面部と、前記見込み面部の少なくとも前記連結面部に連続する部分とが樹脂から形成され、前記緩衝部と、前記第１側面部および第２側面部の少なくとも前記緩衝部に連続する部分とが前記樹脂よりも軟質な軟質樹脂から形成されている建具。
【請求項２】
前記保護部は、前記第１側面部の見付け方向外側に連続して前記連結面部の一方側に対向して延びるカバー面部を有し、前記第１側面部およびカバー面部が前記軟質樹脂から形成されている請求項１に記載の建具。
【請求項３】
前記保護部は、前記第１側面部に連続して前記緩衝部よりも見付け方向内方に延びるとともに閉鎖した前記面材に対向する突出面部を有し、当該突出面部が前記軟質樹脂から形成されている請求項１または請求項２に記載の建具。
【請求項４】
前記見込み面部は、少なくとも前記連結面部との連続位置から当該見込み面部の一方側端部までが前記軟質樹脂よりも硬質な樹脂から形成され、
前記第１側面部は、前記見込み面部の一方側端部を覆う位置を含む全部が前記軟質樹脂から形成されている請求項１から請求項３のいずれかに記載の建具。
【請求項５】
前記見込み面部は、少なくとも前記連結面部との連続位置から当該見込み面部の他方側端部までが前記軟質樹脂よりも硬質な樹脂から形成され、
前記第２側面部は、前記見込み面部の他方側端部を覆う位置を含む全部が前記軟質樹脂から形成されている請求項１から請求項４のいずれかに記載の建具。
【請求項６】
前記面材は、左右いずれかの吊元側が前記枠体に支持されて戸先側が他方側に開放可能に構成され、前記吊元側の枠材である縦枠および前記戸先側の枠材である縦枠の少なくとも一方に前記保護部が設けられている請求項１から請求項５のいずれかに記載の建具。
【発明の詳細な説明】
【技術分野】
【０００１】
本発明は、建具に関し、詳しくは、枠体と、この枠体に開閉自在に支持される面材とを備えた建具に関する。
【背景技術】
【０００２】
従来、枠体に扉体が開閉自在に支持されたドア等の建具において、扉体の吊元側を支持する縦枠に戸当り部と規制部材とを設け、この規制部材によって戸当り部と扉体との間に指が届かないように規制したものが提案されている（例えば、特許文献１参照）。
特許文献１に記載の規制部材は、縦枠における戸当り部よりも屋内側の見込み面に固定されるアルミ形材製の取付補助材と、この取付補助材の先端屋外側に取り付けられるゴム製または軟質樹脂製で中空状の緩衝材とを有して構成され、この緩衝材と扉体との間に指を挟んだとしても、緩衝材が屋内側に潰れることで怪我が防止できるように構成されている。
【先行技術文献】
【特許文献】
【０００３】
【特許文献１】特許第３９５０００５号公報
【発明の概要】
【発明が解決しようとする課題】
【０００４】
しかしながら、前記特許文献１に記載された従来の規制部材では、中空状の緩衝材が屋内側に潰れるようになっているものの、その潰れる変形量は、当該緩衝材が潰れた際の厚さ寸法によって制限されるため、その寸法よりも大きな対象物が挟まった場合には、潰れた緩衝材および取付補助材と扉体との間に対象物が強く挟まれてしまう可能性がある。
【０００５】
本発明の目的は、変形幅を拡大することができる指挟み防止機能を備えた建具を提供することにある。
【課題を解決するための手段】
【０００６】
本発明の建具は、枠体と、この枠体に開閉自在に支持される面材とを備えた建具であって、前記枠体を構成する少なくとも１つの枠材は、閉鎖した前記面材の見込み方向一方側に位置して当該面材に気密材を介して当接可能な気密片部と、当該枠材の長手方向の所定長さに沿うとともに前記気密片部に設けられる保護部とを備えて構成され、前記保護部の断面形状は、前記枠材の見付け方向に延びて前記気密片部に連結される連結面部と、この連結面部の見付け方向内側に連続して見込み方向に延びる見込み面部と、この見込み面部の一方側に連続して見付け方向内方に延びる第１側面部と、前記見込み面部の他方側に連続して見付け方向内方に延びる第２側面部と、前記第１側面部と前記第２側面部とを連結する緩衝部と、前記見込み面部、第１側面部、第２側面部および緩衝部で囲まれた中空部とを有して構成され、前記連結面部と、前記見込み面部の少なくとも前記連結面部に連続する部分とが樹脂から形成され、前記緩衝部と、前記第１側面部および第２側面部の少なくとも前記緩衝部に連続する部分とが前記樹脂よりも軟質な軟質樹脂から形成されていることを特徴とする。
【０００７】
ここで、本発明の建具としては、開き形式のドアや開き窓の他に、引違い形式や片引き形式の戸や窓であってもよいし、その他上げ下げ窓や縦辷出し窓などの各種開閉形式の窓であってもよい。また、保護部は、任意の位置の枠材に設けられていればよく、従来の建具のように吊元側の縦枠に限定されるものではない。さらに、保護部は、枠材の気密片部と一体に形成されてもよいし、別体で形成されて気密片部に固定されてもよい。気密片部と一体に形成される保護部としては、例えば、樹脂製の屋内部材を有して枠材が構成される場合など、その屋内部材に気密片部と一体成形で保護部を設けることが可能である。
【０００８】
以上の本発明によれば、保護部において、連結面部よりも見付け方向内側に見込み面部、第１側面部、第２側面部および緩衝部が形成されるとともに、これらで囲まれた中空部が形成されているので、緩衝部と面材との間に対象物が挟まった場合に、緩衝部が変形して中空部が潰れる変形と、第１側面部や第２側面部が一方側に撓む変形と、の２種類の変形を併せた変形状態が実現できる。すなわち、第１側面部や第２側面部の少なくとも一部（緩衝部に連続する部分）が、連結面部と、見込み面部の少なくとも連結面部に連続する部分よりも軟質な軟質樹脂で形成されているとともに、第１側面部の一方側への変形が連結面部で拘束されていないことから、これらが一方側に変形し易くできるようになっている。従って、中空部が潰れた緩衝部の変形状態からさらに第１側面部や第２側面部が一方側に撓んで変形することができ、変形幅を拡大することができるため、指挟み防止機能の性能向上を図ることができる。
【０００９】
この際、本発明の建具では、前記保護部は、前記第１側面部の見付け方向外側に連続して前記連結面部の一方側に対向して延びるカバー面部を有し、前記第１側面部およびカバー面部が前記軟質樹脂から形成されていることが好ましい。
このような構成によれば、連結面部の一方側に対向してカバー面部を形成することで、連結面部と気密片部との連結部分をカバー面部で覆って一方側の空間から見えないように隠蔽することができ、建具の意匠性を向上させることができる。さらに、第１側面部およびカバー面部を軟質樹脂から形成すれば、これらの色や質感を互いに合致させることができ、保護部の一方側からの見え掛かりとなる部分の外観を統一して意匠性をさらに高めることができる。
【００１０】
さらに、本発明の建具では、前記保護部は、前記第１側面部に連続して前記緩衝部よりも見付け方向内方に延びるとともに閉鎖した前記面材に対向する突出面部を有し、当該突出面部が前記軟質樹脂から形成されていることが好ましい。
このような構成によれば、緩衝部よりも見付け方向内方に延びる突出面部を形成することで、この突出面部によって面材との間への指等の挿入を一次規制することができ、指挟み防止機能の性能をさらに向上させることができる。さらに、突出面部を軟質樹脂から形成することで、指等が当たった場合の衝撃を緩和するとともに、この突出面部と面材との間に対象物が挟まった場合でも、突出面部が変形することで指等の対象物への衝撃を緩和することができる。なお、突出面部に指が当たることで指挟みの危険を利用者に検知させればよいため、突出面部の先端と閉じた面材との間には、指が挿入可能な程度の隙間が形成されていてもよい。
【００１１】
また、本発明の建具では、前記見込み面部は、少なくとも前記連結面部との連続位置から当該見込み面部の一方側端部までが前記軟質樹脂よりも硬質な樹脂から形成され、前記第１側面部は、前記見込み面部の一方側端部を覆う位置を含む全部が前記軟質樹脂から形成されていることが好ましい。
このような構成によれば、見込み面部における連結面部との連続位置から一方側端部までを硬質樹脂で形成することで、見込み面部の剛性を高めて保護部の過大な変形を抑制することができ、指等が挟まらない初期状態の形状を良好に維持させることができる。さらに、見込み面部の一方側端部を覆う位置を含む第１側面部の全部を軟質樹脂で形成することで、硬質樹脂で形成した見込み面部が見込み方向一方側に露出し難くでき、保護部の意匠性をより一層向上させることができる。
【００１２】
さらに、本発明の建具では、前記見込み面部は、少なくとも前記連結面部との連続位置から当該見込み面部の他方側端部までが前記軟質樹脂よりも硬質な樹脂から形成され、前記第２側面部は、前記見込み面部の他方側端部を覆う位置を含む全部が前記軟質樹脂から形成されていることが好ましい。
このような構成によれば、見込み面部における連結面部との連続位置から他方側端部までを硬質樹脂で形成することで、見込み面部の剛性を高めて保護部の過大な変形を抑制することができ、初期状態の形状を良好に維持させることができる。さらに、見込み面部の他方側端部を覆う位置を含む第２側面部の全部を軟質樹脂で形成することで、硬質樹脂で形成した見込み面部が見込み方向他方側に露出し難くでき、保護部の見え掛かりとなる部分の外観を統一して意匠性をさらに高めることができる。
【００１３】
さらに、本発明の建具では、前記面材は、左右いずれかの吊元側が前記枠体に支持されて戸先側が他方側に開放可能に構成され、前記吊元側の枠材である縦枠および前記戸先側の枠材である縦枠の少なくとも一方に前記保護部が設けられていることが好ましい。
このような構成によれば、吊元側や戸先側での指挟みを確実に防止できるとともに、開放した際の面材の端面や縦枠の見込み面を保護部で見えにくくすることができ、建具の意匠性を向上させることができる。
【図面の簡単な説明】
【００１４】
【図１】本発明の実施形態に係る建具を示す屋内側正面図である。
【図２】前記建具を示す横断面図である。
【図３】前記建具に設けられる保護部材を示す横断面図である。
【図４】前記保護部材の変形例を示す横断面図である。
【図５】前記保護部材の他の変形例を示す横断面図である。
【図６】前記保護部材のさらに他の変形例を示す横断面図である。
【図７】前記保護部材のさらに他の変形例を示す横断面図である。
【図８】前記保護部材のさらに他の変形例を示す横断面図である。
【発明を実施するための形態】
【００１５】
以下、本発明の一実施形態に係る建具としてのドア１を図面に基づいて説明する。
図１、図２において、ドア１は、建物の開口部に設けられて一方側である屋内空間と他方側である屋外空間とを仕切る外開き形式の出入り口であって、建物躯体に固定される枠体としてのドア枠２と、このドア枠２に開閉自在に支持される面材としての障子３とを備えて構成されている。ドア枠２は、それぞれアルミ形材製の上枠４、下枠５、および左右の縦枠６，７を四周枠組みして形成され、障子３は、図１、２中左側に位置する吊元側の縦枠６にヒンジ８を介して開閉可能に支持され、図１、２中右側に位置する戸先側の縦枠７に施錠装置９で施錠可能に構成されている。障子３は、上框１１、下框１２および左右の縦框１３，１４を四周框組みした内部にガラスパネル１５を嵌め込んで構成され、吊元側の縦框１３が縦枠６に支持され、戸先側の縦框１４に設けたハンドル１６によって開閉操作されるようになっている。
【００１６】
縦枠６，７は、見込み方向（屋内外方向）に延びる縦枠見込み面部６１，７１と、この縦枠見込み面部６１，７１の屋内側端部から見付け方向外側（建物躯体側）に延びる屋内側見付け面部６２，７２と、縦枠見込み面部６１，７１の屋外側端部から見付け方向外側に延びる屋外側見付け面部６３，７３と、縦枠見込み面部６１，７１の屋内寄りの中間位置から見付け方向内側（開口部中央側）に延びる気密片部としての気密材保持部６４，７４とを有して形成されている。気密材保持部６４，７４の先端屋外側には、閉鎖した障子３の縦框１３，１４の屋内面１３１，１４１に当接可能な気密材６５，７５が保持されている。また、吊元側の縦枠６における気密材保持部６４には、障子３を閉じる際に縦框１３と気密材保持部６４との間に指等が挟まれるのを防止する保護部としての保護部材２０が固着具としてのビス２１によって固定されている。
【００１７】
保護部材２０は、図１に示すように、縦枠６の長手方向略全長に沿って設けられ、その断面形状は、図３にも示すように、縦枠６の見付け方向に延びて気密材保持部６４に連結される連結面部２２と、この連結面部２２の見付け方向内側（開口部中央側）に連続して見込み方向に延びる見込み面部２３と、この見込み面部２３の屋内側（見込み方向一方側）に連続して見付け方向内方（開口部中央側）に延びる第１側面部としての屋内側面部２４と、見込み面部２３の屋外側（見込み方向他方側）に連続して見付け方向内方に延びる第２側面部としての屋外側面部２５と、屋内側面部２４と屋外側面部２５とを連結する緩衝部２６と、これらの見込み面部２３、屋内側面部２４、屋外側面部２５および緩衝部２６で囲まれた中空部２７とを有して構成されている。さらに、保護部材２０は、屋内側面部２４の見付け方向外側（建物躯体側）に連続して連結面部２２の屋内側に対向して延びるカバー面部２８と、屋内側面部２４に連続して緩衝部２６よりも見付け方向内方に延びる突出面部２９とを有して構成されている。見込み面部２３は、連結面部２２との連続位置から屋内側に延びる第１見込み面部２３Ａと、連結面部２２との連続位置から屋外側に延びる第２見込み面部２３Ｂとを有し、第２見込み面部２３Ｂが気密材保持部６４の先端縁（見付け方向内側端縁）を覆って設けられている。
【００１８】
以上の保護部材２０は、硬さの異なる樹脂（硬質樹脂と軟質樹脂）の二色成形により一体成形されている。そして、連結面部２２および見込み面部２３の樹脂の方が、屋内側面部２４、屋外側面部２５、緩衝部２６、カバー面部２８および突出面部２９の樹脂よりも硬い樹脂で形成されている。以降、硬い方の樹脂を硬質樹脂とし、軟らかい方の樹脂を軟質樹脂として説明する。具体的には、連結面部２２は、その全部が硬質樹脂から形成され、この連結面部２２を屋内側から貫通するビス２１によって気密材保持部６４に固着されている。そして、見込み面部２３は、第１見込み面部２３Ａの屋内側端部（屋内側面部２４の屋外側側面と接する位置）までと、第２見込み面部２３Ｂの屋外側端部（屋外側面部２５の屋内側側面と接する位置）までとが硬質樹脂から形成されている。一方、屋内側面部２４は、第１見込み面部２３Ａの屋内側端部を覆う位置を含む全部が軟質樹脂から形成され、屋外側面部２５は、第２見込み面部２３Ｂの屋外側端部を覆う位置を含む全部が軟質樹脂から形成されている。従って、保護部材２０における屋内側および屋外側の見え掛かり部分は全て軟質樹脂から形成されるようになっている。
【００１９】
また、カバー面部２８は、その先端が縦枠見込み面部６１の近傍まで延びるとともに屋外側に湾曲して形成され、このカバー面部２８によって連結面部２２の略全体が覆われることで、当該連結面部２２およびビス２１が屋内側から隠蔽されて見え難くなっている。このような軟質樹脂からなるカバー面部２８を捲って連結面部２２を露出させることで、ビス２１の固着作業または取外作業が実施可能になっている。一方、突出面部２９は、その突出先端部が屋外側に湾曲して形成され、閉鎖した障子３における縦框１３の屋内面１３１と所定間隔Ｌの隙間を介して対向するようになっている。ここで、所定間隔Ｌとしては、一般成人の指が挿通可能な程度の寸法（例えば、１０mm〜１５mm）であり、このような突出面部２９の先端に指が触れることで、それ以上奥の緩衝部２６側に指が入らないように、利用者に指挟みの可能性を検知させることができるようになっている。
【００２０】
また、保護部材２０では、突出面部２９と縦框１３の屋内面１３１との隙間に指等が入ったとしても、緩衝部２６に指等が当たることで、それ以上に気密材保持部６４側への挿入が規制されるようになっている。すなわち、緩衝部２６の屋外側端部および屋外側面部２５は、縦框１３の屋内面１３１と当接するかまたは近接して対向するような位置、つまり気密材６５の屋外面と略同一の見込み位置か、気密材６５の屋外面よりも若干屋内側に設けられている。さらに、障子３を閉じる際に、縦框１３の屋内面１３１と緩衝部２６および屋外側面部２５との間に指等が挟まれたとしても、緩衝部２６および屋外側面部２５が中空部２７側に潰れることで、指等への衝撃が緩和されるようになっている。その際、あるいは指よりも大きなサイズの対象物が挟まれた際には、第１見込み面部２３Ａとの連続位置を支点に屋内側面部２４が屋内側に撓むことで、緩衝部２６および屋外側面部２５がさらに大きく屋内側に移動（変形）し、対象物への衝撃を緩和しかつ保護部材２０自体の破損も防止できるようになっている。
【００２１】
以上のような本実施形態によれば、保護部材２０が硬質樹脂および軟質樹脂から一体成形できるので、縦枠６に固定される側の連結面部２２や見込み面部２３とその他の部位とを別々に製作して組み立てる必要がなく、製造工程を簡略化して比較的安価に製造することができるとともに、保護部材２０の構造を簡略化することができる。また、大きなサイズの対象物が挟まれた際に、中空部２７が潰れた変形状態からさらに屋内側面部２４が屋内側に撓んで変形することができ、変形幅を拡大することができる。従って、指等への衝撃を確実に緩和して指挟み防止機能の性能向上を図るとともに、指以外の対象物にも対応して保護部材２０の破損を防止することができる。
【００２２】
また、保護部材２０における屋内側および屋外側の見え掛かり部分である屋内側面部２４、屋外側面部２５、緩衝部２６、カバー面部２８および突出面部２９が軟質樹脂から形成されているので、これらの色や質感を互いに合致させて統一することができ、保護部材２０の意匠性を向上させることができる。連結面部２２およびビス２１がカバー面部２８によって屋内側から隠蔽されて見え難くすることで、保護部材２０およびドア１の意匠性をさらに向上させることができる。
さらに、見込み面部２３における連結面部２２との連続位置から、第１見込み面部２３Ａの屋内側端部および第２見込み面部２３Ｂの屋外側端部までを硬質樹脂で形成することで、指等が挟まらない初期状態における軟質樹脂の部分（屋内側面部２４、屋外側面部２５、緩衝部２６、カバー面部２８、突出面部２９）の形状を良好に維持（安定）させることができる。
【００２３】
なお、本発明は、前記実施形態に限定されるものではなく、本発明の目的を達成できる他の構成等を含み、以下に示すような変形等も本発明に含まれる。
例えば、前記実施形態において、保護部材２０は吊元側の縦枠６に設けられていたが、戸先側の縦枠７の方に設けてもよく、吊元側と戸先側の両方の縦枠６、７に設けてもよい。なお、上枠４や下枠５に保護部材２０を設けてもよい。
また、前記実施形態において、建具の一例としてドア１を例示したが、本発明の建具は、開き窓であってもよいし、引違い形式や片引き形式の戸や窓でもよく、さらに上げ下げ窓などの各種開閉形式を有する窓であってもよい。
また、前記実施形態において、ドア１は、一方側である屋内空間と他方側である屋外空間とを仕切るものを例示したが、本発明の建具は屋内外を仕切るものに限らず、例えば、隣り合う部屋同士を仕切る出入り口であってもよいし、脱衣室（見込み方向一方側の空間）と浴室（見込み方向他方側の空間）とを仕切る浴室出入り口などであってもよい。
また、前記実施形態における保護部は、縦枠６と別体の保護部材２０で構成されていたが、これに限らず、縦枠が樹脂製の屋内部材を備えて構成される場合には、この屋内部材と一体成形によって保護部を形成してもよい。
【００２４】
また、前記実施形態の保護部材２０における硬質樹脂と軟質樹脂との適用範囲に限らず、以下の図４〜図７に示すような適用範囲が採用可能である。
先ず、図４に示す保護部材２０において、屋外側面部２５が硬質樹脂から形成されており、この屋外側面部２５の見付け方向内側の端部を覆って軟質樹脂製の緩衝部２６が連続形成されている。
次に、図５に示す保護部材２０において、見込み面部２３は、連結面部２２との連続位置近傍が硬質樹脂から形成されるものの、第１見込み面部２３Ａの途中位置から屋内側面部２４までと、第２見込み面部２３Ｂの途中位置から屋外側面部２５までとが軟質樹脂から形成され、これらが軟質樹脂からなる屋内側面部２４および屋外側面部２５と連続形成されている。
【００２５】
次に、図６に示す保護部材２０において、見込み面部２３のうちの第１見込み面部２３Ａが硬質樹脂から形成されるものの、第２見込み面部２３Ｂが軟質樹脂から形成されている。このような構成によれば、軟質樹脂からなる屋外側面部２５および緩衝部２６と併せて第２見込み面部２３Ｂも変形することで、指挟み時の衝撃をより一層緩和させることができる。
次に、図７に示す保護部材２０において、屋内側面部２４のうちの見込み面部２３との連続位置近傍、およびカバー面部２８のうちの見込み面部２３との連続位置近傍が硬質樹脂から形成され、これらが硬質樹脂からなる見込み面部２３と連続形成されている。
以上のように二色成形で製作される保護部材２０では、硬質樹脂と軟質樹脂との適用範囲を適宜に変更することが可能であることから、必要とされる剛性や変形量に容易に対応した保護部材２０を形成することができる。
【００２６】
さらに、保護部材の形態は、前記実施形態の保護部材２０のものに限らず、以下の図８に示す保護部材２０Ａの形態を採用してもよい。
図８において、保護部材２０Ａは、屋内側面部２４が見込み面部２３の屋内側に連続して見付け方向内方に延びかつ屋外側に湾曲して形成され、この屋内側面部２４に連続して緩衝部２６が円弧状に曲がって屋外側面部２５と連続するように形成され、これらの見込み面部２３、屋内側面部２４、屋外側面部２５および緩衝部２６に囲まれて中空部２７が形成されている。この保護部材２０Ａでは、連結面部２２および見込み面部２３が硬質樹脂から形成され、屋内側面部２４、屋外側面部２５、緩衝部２６およびカバー面部２８が軟質樹脂から形成されている。
なお、この保護部材２０Ａにおいても、硬質樹脂と軟質樹脂との適用範囲は前述した図４〜図７に示すような適用範囲が採用可能である。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２８】
１…ドア（建具）、２…ドア枠（枠体）、３…障子（面材）、６…縦枠（枠材）、２０…保護部材（保護部）、２１…ビス（固着具）、２２…連結面部、２３…見込み面部、２４…屋内側面部（第１側面部）、２５…屋外側面部（第２側面部）、２６…緩衝部、２７…中空部、２８…カバー面部、２９…突出面部、６４…気密材保持部（気密片部）、６５…気密材。
【図１】
2011144546.tif 000003
【図２】
2011144546.tif 000004
【図３】
2011144546.tif 000005
【図４】
2011144546.tif 000006
【図５】
2011144546.tif 000007
【図６】
2011144546.tif 000008
【図７】
2011144546.tif 000009
【図８】
2011144546.tif 000010